(57)【要約】【課題】ユーザが登録していない電話番号からの着信があった場合は、一定時間着信音の鳴動を停止させることができる携帯無線端末における着信通知コントローラを提供する。【解決手段】着信の電話番号が電話帳部１３に無かった場合、着信処理部１１は、遅延鳴動タイマ１４で設定された鳴動開始遅延時間に相当する時間が経過するまでは、着信音の鳴動を停止させる指示を着信音鳴動処理部１６に与え、着信時の着信音の鳴動を一定時間停止させる。したがって、ワンギリなどのような悪質な迷惑電話では着信音が鳴動せず、登録した電話番号からの着信があった場合は直ちに着信音の鳴動が行われ、これにより、ユーザは有用な着信を直ぐに知ることができる。【選択図】　　　図１
2004135124.tif 000002
【特許請求の範囲】
【請求項１】
携帯無線端末において、通話を行う相手先の電話番号を予め登録しておき、着信時に着信した電話番号が前記登録されている電話番号の中に無い場合に、一定時間着信音の鳴動を停止させることを特徴とする着信通知コントローラ。
【請求項２】
携帯無線端末において、通話を行う相手先の電話番号が登録されている電話番号登録手段と、着信時に着信した電話番号を前記電話番号登録手段に登録されている電話番号の中から検索する電話番号検索手段と、音声発生手段に対して着信音の鳴動を行う着信音鳴動処理手段と、着信時に着信音の鳴動の開始を遅延させるための鳴動開始遅延時間を設定する遅延時間設定手段と、着信時に着信した電話番号が前記電話番号検索手段により検索できなかった場合に前記鳴動開始遅延時間に相当する一定時間着信音の鳴動を停止させる指示を前記着信音鳴動処理手段に対して行う着信処理手段とを備え、着信時に着信した電話番号が前記電話番号登録手段に登録されている電話番号の中に無い場合に、一定時間着信音の鳴動を停止させることを特徴とする着信通知コントローラ。
【請求項３】
着信時に着信音の鳴動の開始を遅延させるための鳴動開始遅延時間は、ユーザにより前記遅延時間設定手段の時間設定を行うことにより、任意に設定可能であることを特徴とする請求項２に記載の着信通知コントローラ。
【請求項４】
着信した電話番号を前記電話番号登録手段内の電話番号と照合させるための処理を行う電話番号照合処理ステップと、該電話番号照合処理ステップにより照合した結果、前記着信した電話番号が前記電話番号登録手段内に無かった場合に一定時間着信音の鳴動を停止させるための処理を行う着信音鳴動停止処理ステップとを含む着信通知処理プログラムを記録した読み取り可能な記録媒体を備えたことを特徴とする請求項２に記載の着信通知コントローラ。
【請求項５】
着信した電話番号を前記電話番号登録手段内の電話番号と照合させるための処理を行う電話番号照合処理ステップと、該電話番号照合処理ステップにより照合した結果、前記着信した電話番号が前記電話番号登録手段内に無かった場合に一定時間着信音の鳴動を停止させるための処理を行う着信音鳴動停止処理ステップとを含む着信通知処理プログラムを通信網からダウンロードして得ることを特徴とする請求項２に記載の着信通知コントローラ。
【発明の詳細な説明】
【０００１】
【発明の属する技術分野】
本発明は、携帯電話機などの携帯無線端末において着信通知の制御を行う着信通知コントローラに関する。
【０００２】
【従来の技術】
従来のこの種の携帯無線端末においては、ユーザが任意に設定した時間（着信音鳴動遅延時間）の間は着信音の鳴動を停止し、前記設定した時間の間は着信音鳴動以外の手法（振動や発光）によりユーザに着信を通知するようにしているものがある（例えば、特許文献１参照）。この従来技術によれば、着信時には着信音鳴動以外の振動や発光によりユーザは着信を知ることができ、設定された着信音鳴動遅延時間以内に応答しないと、自動的に着信音が鳴動するので、ユーザは着信を知ることができる。
【０００３】
【特許文献１】
特開平９−１３９７６２号公報
【０００４】
【発明が解決しようとする課題】
ところで、近年、携帯無線端末を極僅かの間、着信状態にすることで、着信電話番号を着信履歴として記録に残し、その着信電話番号を認識したユーザが、その電話番号に電話をかけ直すことを期待する悪質な迷惑電話（この行為を“ワンギリ”と言う）が多く発生しており、これにより、昼夜を問わず着信音が鳴動してしまうと言う問題がある。
【０００５】
しかしながら、特許文献１の従来技術では、ワンギリの着信があった場合に、着信音の鳴動を一定時間停止させることができるが、発信相手が誰であっても着信音の鳴動を一定時間停止してしまうため、ユーザが緊急で電話に出たい着信があった場合でも、着信に気付きにくく、これにより、電話に出るのが遅れてしまい、この結果、電話が切れてしまって連絡ができなくなり、また、電話があったことも直ぐに気が付かないと言う問題点が生じることになる。
【０００６】
本発明は上記のような課題を解決するためになされたもので、ユーザが登録していない電話番号からの着信があった場合は、一定時間着信音の鳴動を停止させることができる携帯無線端末における着信通知コントローラを提供することを目的とする。
【０００７】
【課題を解決するための手段】
上記目的を達成するために本発明は、携帯無線端末において、通話を行う相手先の電話番号を予め登録しておき、着信時に着信した電話番号が前記登録されている電話番号の中に無い場合に、一定時間着信音の鳴動を停止させることを特徴とする着信通知コントローラを提供する。
【０００８】
この発明の着信通知コントローラによれば、着信時に着信した電話番号が前記登録されている電話番号の中に無い場合に、一定時間着信音の鳴動を停止させるので、登録されている電話番号からの着信があった場合は、直ちに着信音の鳴動が行われるが、登録されていない電話番号からの着信があった場合は、一定時間着信音の鳴動が停止する。したがって、ワンギリなどのような悪質な迷惑電話では着信音が鳴動せず、登録した電話番号からの着信があった場合は直ちに着信音の鳴動が行われ、これにより、ユーザは有用な着信を直ぐに知ることができる。
【０００９】
また、本発明は、携帯無線端末において、通話を行う相手先の電話番号が登録されている電話番号登録手段と、着信時に着信した電話番号を前記電話番号登録手段に登録されている電話番号の中から検索する電話番号検索手段と、音声発生手段に対して着信音の鳴動を行う着信音鳴動処理手段と、着信時に着信音の鳴動の開始を遅延させるための鳴動開始遅延時間を設定する遅延時間設定手段と、着信時に着信した電話番号が前記電話番号検索手段により検索できなかった場合に前記鳴動開始遅延時間に相当する一定時間着信音の鳴動を停止させる指示を前記着信音鳴動処理手段に対して行う着信処理手段とを備え、着信時に着信した電話番号が前記電話番号登録手段に登録されている電話番号の中に無い場合に、一定時間着信音の鳴動を停止させることを特徴とする着信通知コントローラを提供する。
【００１０】
この発明の着信通知コントローラにおいて、電話を着信すると、この着信の電話番号が前記電話番号登録手段に登録されているかの検索が前記電話番号検索手段により行われ、着信の電話番号が前記電話番号登録手段に有った場合、前記着信処理手段は、前記着信音鳴動処理手段に直ちに着信音の鳴動を行うように指示を与える。これにより、前記音声発生手段からは着信音が発生する。
【００１１】
一方、着信の電話番号が前記電話番号登録手段に無かった場合は、前記着信処理手段は、前記遅延時間設定手段で設定された鳴動開始遅延時間に相当する時間が経過するまでは、着信音の鳴動を停止させる指示を前記着信音鳴動処理手段に与える。これにより、着信時の着信音の鳴動は一定時間停止する。そして、一定時間経過後は、着信音が前記音声発生手段により発生することになる。
【００１２】
したがって、この発明の着信通知コントローラによれば、登録されている電話番号からの着信があった場合は、直ちに着信音の鳴動が行われるが、登録されていない電話番号からの着信があった場合は、一定時間着信音の鳴動が停止するので、ワンギリなどのような悪質な迷惑電話では着信音が鳴動せず、登録した電話番号からの着信があった場合は直ちに着信音の鳴動が行われ、これにより、ユーザは有用な着信を直ぐに知ることができる。また、有用であるかどうかが分からない不明な電話を着信しても、前記鳴動開始遅延時間を経過した後には着信音の鳴動が行われるので、着信そのものに気付かないようなことはなくなり、ユーザにとっては、該着信が有用であるか無用であるかを後で見分けることができる。
【００１３】
好ましくは、着信時に着信音の鳴動の開始を遅延させるための鳴動開始遅延時間は、ユーザにより前記遅延時間設定手段の時間設定を行うことにより、任意に設定可能であるので、登録していない電話番号による着信があった場合、ユーザの好みに応じて着信音の鳴動の開始時間を設定することができる。
【００１４】
好ましくは、着信した電話番号を前記電話番号登録手段内の電話番号と照合させるための処理を行う電話番号照合処理ステップと、該電話番号照合処理ステップにより照合した結果、前記着信した電話番号が前記電話番号登録手段内に無かった場合に一定時間着信音の鳴動を停止させるための処理を行う着信音鳴動停止処理ステップとを含む着信通知処理プログラムを記録した記録媒体を備える。
【００１５】
この記録媒体に記録された着信通知処理プログラムにより、前記着信処理手段は、着信した電話番号を前記電話番号登録手段内の電話番号と照合させるための処理と、照合した結果、前記着信した電話番号が前記電話番号登録手段内に無かった場合に一定時間着信音の鳴動を停止させるための処理とが可能となる。なお記録媒体は携帯無線端末本体に対して分離可能なものが好ましい。
【００１６】
好ましくは、着信した電話番号を前記電話番号登録手段内の電話番号と照合させるための処理を行う電話番号照合処理ステップと、該電話番号照合処理ステップにより照合した結果、前記着信した電話番号が前記電話番号登録手段内に無かった場合に一定時間着信音の鳴動を停止させるための処理を行う着信音鳴動停止処理ステップとを含む着信通知処理プログラムを、通信網からダウンロードして得る。
【００１７】
この通信網からダウンロードして得られた着信通知処理プログラムにより、前記着信処理手段は、着信した電話番号を前記電話番号登録手段内の電話番号と照合させるための処理と、照合した結果、前記着信した電話番号が前記電話番号登録手段内に無かった場合に一定時間着信音の鳴動を停止させるための処理とが可能となる。
【００１８】
【発明の実施の形態】
以下、添付図面を参照しつつ、本発明の実施の形態について説明する。図１は本発明の一実施形態の着信通知コントローラを採用した携帯無線端末の構成を示すブロック図である。
【００１９】
この携帯無線端末は、着信通知を制御する着信通知コントローラ１と、無線により電話の着信を受けるアンテナ２と、着信した電話に対して通話を行うための操作を行うキーや着信音を遅延させて鳴動させるための鳴動開始遅延時間を設定するキーなどを有する入力部３と、外部プログラムメディアとしての記録媒体４ａと、半導体メモリで構成された外部記録装置４と、着信音を鳴動するスピーカ５とを含み構成されている。
【００２０】
前記記録媒体４ａとは、例えば磁気テープやカセットテープなどのテープ系、フロッピー（Ｒ）ディスクやハードディスクなど磁気ディスク系、ＣＤ・ＲＯＭ（コンパクトディスクＲＯＭ）、ＭＯ（磁気／光）ディスク、ＭＤ（ミニディスク）、ＤＶＤ（デジタル・バーサタイル・ディスク）などの光ディスク系、ＩＣカードや光カードなどのカード系などのように携帯無線端末本体と分離可能な記録媒体をいう。また、前記外部記録装置４とは、マスクＲＯＭ、ＥＰＲＯＭ、ＦＥＰＲＯＭ（フラッシュＥＰＲＯＭ）、フラッシュＲＯＭなどのように半導体メモリを内蔵した記録装置をいう。
【００２１】
前記着信通知コントローラ１は、着信処理手段としての着信処理部１１、電話番号検索手段としての電話帳検索部１２、電話番号登録手段としての電話帳部１３、遅延時間設定手段としての遅延鳴動タイマ１４とメモリ１５、および着信音鳴動処理手段としての着信音鳴動処理部１６から構成されている。
【００２２】
着信処理部１１は、アンテナ２より電話の着信があった際に、着信した電話番号を電話帳検索部１２により抽出したり、着信音の鳴動を着信音鳴動処理部１６に指示したりするものである。電話帳部１３は、着信した電話番号を特定するための電話番号情報を登録するものであり、通常、ユーザと通話を行う相手先の電話番号が登録される。電話帳検索部１２は、着信時に、着信した電話番号と、電話帳部１３に登録されている電話番号とを照合し、両者が一致する電話番号を検索するものである。遅延鳴動タイマ１４は、着信時に一定時間、着信音鳴動を遅延させるための鳴動開始遅延時間をカウントするものである。メモリ１５は着信音鳴動の鳴動開始遅延時間を格納するものである。着信音鳴動処理部１６は、スピーカ５に対して着信音を鳴動させる処理を行うものである。
【００２３】
図２は、本発明の一実施形態の着信通信コントローラにおける鳴動開始遅延時間の設定の動作を示すフローチャートである。図３は、本発明の一実施形態の着信通知コントローラにおける着信音遅延鳴動処理の動作を示すフローチャートである。
【００２４】
図２に示すフローチャートに従って図１に示すにおける鳴動開始遅延時間の設定の動作について説明する。先ず、ユーザは入力部３のキーを操作して着信時に着信音鳴動を遅延させるための鳴動開始遅延時間（例えば３秒）を入力する（ステップＳ１０１）。この入力部３より入力された鳴動開始遅延時間は、遅延鳴動タイマ１４によりメモリ１５に格納される（ステップＳ１０２）。
【００２５】
次に図３に示すフローチャートに従って図１に示す携帯無線端末における着信音遅延鳴動処理の動作について説明する。着信音の鳴動開始遅延時間がメモリ１５に格納された状態（図２のステップＳ１０２）で、携帯無線端末に着信があると（ステップＳ２０１）、着信処理部１１は、着信した電話番号を電話帳検索部１２に指示し、これに応答して電話帳検索部１２は、その着信電話番号と電話帳部１３に登録されている電話番号と照合する（ステップＳ２０２）。
【００２６】
前記着信した電話番号が電話帳部１３に登録されていた場合（ステップＳ２０３）、着信処理部１１は、着信音鳴動処理部１６に対して着信音を鳴動させる指示を与え、これにより、着信音鳴動処理部１６はスピーカ５に対して着信音の鳴動を直ちに開始し（ステップＳ２０４）、スピーカ５から着信音を発生させる。
【００２７】
前記着信した電話番号が電話帳部１３に登録されていなかった場合（ステップＳ２０３）、着信処理部１１は、着信音の鳴動を直ちに開始せず、着信してからの時間がメモリ１５に格納された鳴動開始遅延時間を経過したかどうかを遅延鳴動タイマ１４のカウント値により確認する（ステップＳ２０５）。着信してからの時間が鳴動開始遅延時間を経過した場合、着信処理部１１は、着信音鳴動処理部１６に着信音鳴動の開始の指示を与える（ステップＳ２０４）。これにより、着信音鳴動処理部１６は、スピーカ５に対して着信音の鳴動を開始し、スピーカ５から着信音を発生させる。
【００２８】
着信してからの時間が鳴動開始遅延時間を経過していなかった場合において（ステップＳ２０５）、入力部３より通話開始操作があれば（ステップＳ２０６）本処理は終了する。また、入力部３より通話開始操作がない場合（ステップＳ２０６）であっても、着信が終了した場合は（ステップＳ２０７）、本処理は終了する。着信が継続していた場合（ステップＳ２０７）、着信処理部１１は着信があってからの時間が鳴動開始遅延時間を経過したかどうかを再び確認する（ステップＳ２０５）。
【００２９】
前記着信した電話番号が電話帳部１３に登録されていることが確認され、着信音鳴動処理部１６は着信音鳴動を開始し（ステップＳ２０４）、この後、入力部３より通話開始の操作があった場合は（ステップＳ２０８）、着信処理部１１は着信音鳴動処理部１６に対して着信音の鳴動の停止を指示することにより（ステップＳ２１０）、本処理は終了する。
【００３０】
また、入力部３より通話開始操作がない場合（ステップＳ２０８）であっても着信が終了した場合（ステップＳ２０９）は、着信音の鳴動を停止し（ステップＳ２１０）、本処理は終了する。着信が継続していた場合（ステップＳ２０９）は再び通話開始の操作待ち状態に戻る（ステップＳ２０８）。
【００３１】
以上説明した各ステップの処理は、着信通知を行う処理プログラム（着信通知処理プログラム）に従って動作する着信処理部１１の制御により実現される。この着信通知処理プログラムは、コンピュータで読み取り可能な記録媒体４ａに記録されている。本実施形態では、外部記録装置４本体に記録媒体４ａを挿入することで、着信処理部１１が外部記録装置４を介して着信通知処理プログラムを読み取り、この着信通知処理プログラムに従って着信処理部１１は携帯無線端末の着信通知処理に関係する各部の制御を行っている。
【００３２】
なお、着信通知処理プログラムを読み取る手段に関わらず、着信処理部１１は記録媒体４ａに記録されている着信通知処理プログラムを直接アクセスして着信通知処理を実行するような構成であっても良く、または、読み取られた着信通知処理プログラムを図示しない主記憶装置にダウンロードした後、着信処理部１１は、その主記憶装置の着信通知処理プログラムを実行して着信通知処理を行うような構成であっても良い。このダウンロード用のプログラムは、外部記録装置４に予め記録されているものであり、着信通知処理プログラムの記録媒体４ａから主記録装置へのダウンロードを可能にする。
【００３３】
プログラムメディアとも呼ばれる記録媒体４ａは、外部記録装置４と分離可能に構成される記録媒体であり、例えば磁気テープやカセットテープなどのテープ系、フロッピー（Ｒ）ディスクやハードディスクなどの磁気ディスク系、ＣＤ・ＲＯＭ（コンパクトディスクＲＯＭ）、ＭＯ（磁気／光）ディスク、ＭＤ（ミニディスク）、ＤＶＤ（デジタル・バーサタイル・ディスク）などの光ディスク系、ＩＣカードや光カードなどのカード系などのように携帯無線端末本体と分離可能な記録媒体、あるいはマスクＲＯＭ、ＥＰＲＯＭ、ＦＥＰＲＯＭ（フラッシュＥＰＲＯＭ）、フラッシュＲＯＭなどのように半導体メモリで構成され固定的にプログラムなどを記録する記録媒体であっても良い。
【００３４】
また、プログラムメディアにアンテナ２を通して着信通知処理プログラムをダウンロードするなどして、流動的にプログラムを図示しない主記憶装置などに記憶しても良い。なお、このように通信網からプログラムをダウンロードする場合には、ダウンロード用のプログラムを外部記録装置４に記録しておき、この記録されたダウンロード用のプログラムを用いても良く、あるいはダウンロード用のプログラムを記録した別の記録媒体からインストールしても良い。記録媒体４ａに記録される情報は、プログラムに限らず、着信通知に利用されるデータであっても良い。
【００３５】
本実施形態によれば、電話帳部１３に登録されている電話番号からの着信があった場合は、直ちに着信音の鳴動が行われるが、登録されていない電話番号からの着信があった場合は、一定時間着信音の鳴動が停止するので、ワンギリなどのような悪質な迷惑電話では着信音が鳴動せず、登録した電話番号からの着信があった場合は直ちに着信音の鳴動が行われ、これにより、ユーザは有用な着信を直ぐに知ることができる。
【００３６】
また、有用であるかどうかが分からない不明な電話を着信しても、鳴動開始遅延時間を経過した後には着信音の鳴動が行われるので、着信そのものに気付かないようなことはなくなり、ユーザにとっては着信が有用であるか無用であるかを後で見分けることができる。
【００３７】
【発明の効果】
以上のように本発明の着信通知コントローラによれば、着信時に着信した電話番号が前記登録されている電話番号の中に無い場合に、一定時間着信音の鳴動を停止させるので、登録されている電話番号からの着信があった場合は、直ちに着信音の鳴動が行われるが、登録されていない電話番号からの着信があった場合は一定時間着信音の鳴動が停止する。したがって、ワンギリなどのような悪質な迷惑電話では着信音が鳴動せず、登録した電話番号からの着信があった場合は直ちに着信音の鳴動が行われ、これにより、ユーザは有用な着信を直ぐに知ることができる。
【００３８】
また、本発明の着信通知コントローラによれば、電話を着信すると、この着信の電話番号が電話番号登録手段に登録されているかの検索が電話番号検索手段により行われ、着信の電話番号が前記電話番号登録手段内に有った場合、着信処理手段は、着信音鳴動処理手段に直ちに着信音の鳴動を行うように指示を与え、着信の電話番号が前記電話番号登録手段内に無かった場合、前記着信処理手段は、遅延時間設定手段で設定された鳴動開始遅延時間に相当する時間が経過するまでは、着信音の鳴動を停止させる指示を前記着信音鳴動処理手段に与える。
【００３９】
したがって、登録されている電話番号からの着信があった場合は、直ちに着信音の鳴動が行われるが、登録されていない電話番号からの着信があった場合は、一定時間着信音の鳴動が停止するので、ワンギリなどのような悪質な迷惑電話では着信音が鳴動せず、登録した電話番号からの着信があった場合は直ちに着信音の鳴動が行われ、これにより、ユーザは有用な着信を直ぐに知ることができる。
【００４０】
また、有用であるかどうかが分からない不明な電話を着信しても、前記鳴動開始遅延時間を経過した後には着信音の鳴動が行われるので、着信そのものに気付かないようなことはなくなり、ユーザにとっては、その着信が有用であるか無用であるかを後で見分けることができる。
【図面の簡単な説明】
【図１】本発明の一実施形態に係る着信通知コントローラを採用した携帯無線端末の構成を示すブロック図である。
【図２】本発明の一実施形態の着信通信コントローラにおける鳴動開始遅延時間の設定の動作を示すフローチャートである。
【図３】本発明の一実施形態の着信通知コントローラにおける着信音遅延鳴動処理の動作を示すフローチャートである。
【符号の説明】
１　　着信通知コントローラ
４ａ　　記録媒体
５　　スピーカ（音声発生手段）
１１　　着信処理部（着信処理手段）
１２　　電話帳検索部（電話番号検索手段）
１３　　電話帳部（電話番号登録手段）
１４　　遅延鳴動タイマ（遅延時間設定手段）
１５　　メモリ（遅延時間設定手段）
１６　　着信音鳴動処理部（着信音鳴動処理手段）
【図１】
2004135124.tif 000003
【図２】
2004135124.tif 000004
【図３】
2004135124.tif 000005